(57)【特許請求の範囲】
【請求項１】
薄型表示装置のスタンドであって、
表示パネルに固定される支柱部と、
前記支柱部のベースとなるベース部とを備え、
前記ベース部は内部に流動物質を充填可能なタンク構造を有しており、
前記タンク構造は、表示部の大きさに応じ、充填すべき前記流動物質の容量が設定されることを特徴とする表示装置用スタンド。
【請求項２】
前記タンク構造は、前記表示部の大きさに応じてタンク数を増減可能に構成されていることを特徴とする請求項１に記載の表示装置用スタンド。
【請求項３】
請求項１または２に記載の表示装置用スタンドを備えることを特徴とする薄型表示装置。
【発明の詳細な説明】
【技術分野】
【０００１】
本発明は、液晶表示装置や有機ＥＬ表示装置等の薄型表示装置用の表示装置用スタンド及びそのような表示装置用スタンドを備えた薄型表示装置に関する。
【背景技術】
【０００２】
液晶テレビ等の薄型表示装置では近年大型化が進んでおり、それらの表示パネルを支持するスタンドも必然的に大型化・重量化される。一般には、表示装置として複数サイズの機種が用意されることから、スタンドに関しても、表示パネルの画面サイズに応じて複数の専用の成形用金型等が必要であり、スタンドの開発及び部材コスト、つまり表示装置全体としてコストが高くなる等の課題がある。
【０００３】
そこで上記課題を解決するために様々な技術が提案されている。例えば、複数の機種の表示装置に対応して柱体のベースへの取付位置を変更、共有することができるスタンドが提案されている（例えば、特許文献１参照）。具体的には、機種が異なる表示装置本体にスタンドを取り付ける際、横方向に離隔した複数の位置に開設してある複数の第１孔を選択して柱体をベースに取り付けるようにしている。その結果、ベース及び該ベースを成形するための成形型を共有にすることができ、スタンドのコスト、及びスタンドを備える表示装置のコストを低減している。
【０００４】
また、別の技術として、転倒防止用機器や部材を用いることなく、テレビジョン受像機の重心を略中央部に移動させることにより転倒を防止し、移動が容易で、しかも輸送や保管時でのテレビジョン受像機の重量を増加させることがないようにした技術がある（例えば、特許文献２参照）。具体的には、ブラウン管背面の筐体部分に流動物を充填可能としている。
【先行技術文献】
【特許文献】
【０００５】
【特許文献１】特開２０１１−６４７９８号公報
【特許文献２】特開２０００−２７８６２９号公報
【発明の概要】
【発明が解決しようとする課題】
【０００６】
ところで、大型テレビの場合は、それに伴ってスタンドも大きく、重量も大きくなる。したがって、輸送時の重量も増大し、コストアップとなっている。一方、大型テレビでは、使用される国によっては壁掛け態様での使用も増えている。壁掛けで使用する場合には、スタンドは不要物となっている。そのため、輸送時のスタンドの重量を軽減しつつ、スタンド使用時に所定の仕様を満足する構造が求められていた。
【０００７】
当然に、上述したように、液晶テレビのスタンドは、パネルサイズ毎、デザイン毎の専用設計となっており、液晶テレビのデザインにより、スタンドの化粧カバーを変えたり、ガラススタンドにしたりするなどの設計がなされている。そのため、液晶テレビ開発におけるスタンドの開発コストも大きな部分を占め、またスタンド自体が鉄やガラス等を使用することから、部材コストとしても非常に高くなってしまうという課題があった。特に、液晶テレビ等では大型化すればするほど、それを支える土台、スタンドの重量も大きく・重くなる。そして、大きく・重くなれば、その分コストも増大し、また、テレビの梱包材もその分の大きさが必要で、セット全体の重量が重くなることから、輸送コストにも影響してくるという課題があった。
【０００８】
特許文献１に開示の技術では、スタンドを共有化することによるスタンドのコスト、及びスタンドを備える表示装置のコストを低に関して、一定の効果が得られているが、スタンドのベースを重ね合わせることにより共有化しようとしている。ベース部材の支柱取付位置が決まっている以上、横方向に重ね合わせた時に使用できるのは、スタンドの支柱の間隔が２倍のサイズのみであり、共用化可能範囲が十分でなく別の技術が求められていた。
【０００９】
特許文献２に開示の技術では、ブラウン管タイプのテレビを想定したものであって、薄型表示装置に適用可能な別の技術が求められていた。
【００１０】
本発明は以上のような状況に鑑みなされたものであって、上記課題を解決する技術を提供することを目的とする。
【課題を解決するための手段】
【００１１】
本発明は、薄型表示装置のスタンドであって、表示パネルに固定される支柱部と、前記支柱部のベースとなるベース部とを備え、前記ベース部は内部に流動物質を充填可能なタンク構造を有しており、前記タンク構造は、表示部の大きさに応じ、充填すべき前記流動物質の容量が設定されている。
また、前記タンク構造は、前記表示部の大きさに応じてタンク数を増減可能に構成されてもよい。
本発明は、薄型表示装置であって、上記の表示装置用スタンドを備える。
【発明の効果】
【００１２】
本発明によれば、輸送時の軽量化及び複数の大きさに対応が容易な表示装置用のスタンドを実現できる。
【図面の簡単な説明】
【００１３】
【図１】実施形態に係る、一般的な薄型表示装置の性能を説明するための図である。
【図２】実施形態に係る、スタンドを正面から見た図である。
【図３】実施形態に係る、スタンドを上から見た図である。
【図４】実施形態に係る、ベース容器部を取り除いた状態のスタンドを示す図である。
【図５】実施形態に係る、ベース容器部が分離した状態のスタンドを示す図である。
【図６】実施形態に係る、パネルサイズとスタンドの重量との関係を示すテーブルである。
【図７】実施形態に係る、ベースプレートの別の形態を示す図である。
【図８】実施形態に係る、ベース容器部の接続固定形状を示す図である。
【図９】実施形態に係る、ベース容器部の固定構造の別の形態示す図である。
【発明を実施するための形態】
【００１４】
次に、本発明を実施するための形態（以下、単に「実施形態」という）を、図面を参照して具体的に説明する。
【００１５】
一般に、液晶テレビ等の薄型表示装置におけるスタンドの性能、特に転倒角は、表示装置としての重心位置及びスタンド重さにより定まる。例えば、図１（ａ）に示すスタンド１１０ａのように、スタンド１１０ａの化粧カバーがプラスチックの場合は、その大きさの鉄板（ベースプレート１１２ａ）が必要となる。一方、図１（ｂ）に示すガラス仕様のスタンド１１０ｂの場合、ガラスプレート１１４の重量があるため、テレビ本体（表示部本体）との固定アングルに接続される鉄製のベースプレート１１２ａはそれほど大きさが必要とならない。
【００１６】
そこで、本実施形態では、図２のスタンド１０に示すように、ベース部となる構造に、上述のガラスプレート１１４の代わりとして、プラスチック製容器構造のベース容器部２０を採用した。ベースプレート１２（図４参照）は、図１のベースプレート１１２ａと同等のものである。ベース容器部２０は、空洞となっている内部に水等の充填材を入れることができる。主に、充填される物質として、水を想定するが、砂や金属等の粒状の固体が一緒に充填されてもよい。なお、ベース容器部２０として、プラスチックの容器に限る趣旨ではなく、充填されてない状態で十分に軽量であり所定の強度を確保できるものであればよい。
【００１７】
ここで、ガラスプレート１１４をベース容器部２０に置き換えて使用した場合を想定する。ガラスの比重が２．５であるので、スタンド１０の性能としてはガラスの２．５倍の体積の水をベース容器部２０に入れることで、ガラスプレート１１４の構成と同等の性能を確保できる。
【００１８】
スタンド１０の梱包状態としては、図２に示すような支柱４０とベース容器部２０とが固定された状態（充填材は無し）で同梱される。ユーザは、スタンド１０を使用する場合には、ベース容器部２０の内部に水等を充填する。そうすれば、輸送時には軽く、ユーザが使用する時には適切にスタンド１０としての機能を果たすことが出来る。また、鉄やガラス等のスタンドと異なり、部材のコスト削減に大きく寄与することができる。
【００１９】
ここで、図６に、市場に投入されている液晶テレビに関して画面サイズ（モデルサイズ）と重量の関係を示す。図のテーブルに示すように、スタンドの重量は２０インチの機種では１．３ｋｇ、６０インチの機種では６．６ｋｇである。つまり、満容量で約７リットル入る容器であれば、パネルサイズが２０インチから６０インチの機種に対して対応可能なスタンド１０とすることが可能である。
【００２０】
ところで、例えば、パネルサイズが２０インチの機種では計算上充填する量は半分以下でも問題ない安定性を確保できてしまうことになるが、実際に重りとして機能しているのは流動物であり、傾けた場合には一方（傾けた側）に水が集まり、重心がその方向へ傾いてしまう。その結果、転倒角が規定値を満足出来ないおそれがある。
【００２１】
そこでスタンド１０を共用化する方法として、例えば図３〜５に示すような構造を適用する。ロ型のベース容器部２０は、分解・組立可能に構成されている。図３（ａ）では、ベース容器部２０は、第１のベース容器部２１と第２のベース容器部２２の二つの容器で構成されている。また、図３（ｂ）では、第１〜第４のベース容器部２１〜２４の４つの容器で構成されている。なお、第１〜第４のベース容器部２１〜２４を区別しない場合は、単にベース容器部２０という。また、ベース容器部２０の外側に所定の化粧パネルが取り付けられてもよい。
【００２２】
例えば、図５に示すように、第１〜第４のベース容器部２１〜２４は、分離可能な構造となっており、固定する場合にはビスが使用される。２０インチの機種の場合、一番内側の容器である第１のベース容器部２１と支柱４０をセットとして同梱する。６０インチの機種の場合には、全てのポリ容器をビス固定した状態で同梱してもよいし、収納状態をコンパクトにするために分離した状態で同梱してもよい。６０インチの機種を購入したユーザは全ての容器（第１〜第４のベース容器部２１〜２４）に満水位まで水等を入れる。このように複数に分割して実質的に仕切りを設ける構造とすること、そして、それぞれの容器に満水位まで入れることにより、傾けた時（または傾いてしまったとき）に重心変化を最小限に留めることができ、転倒角を適切に確保することができる。なお、第１〜第４のベース容器部２１〜２４のそれぞれにおいて、内部が独立した空間に仕切られた構造を有し、それぞれの独立した空間に対して水等が充填されるようにしてもよい。
【００２３】
ベース容器部２０のサイズ及び溶液の重量について説明する。実際にスタンド１０の形状（構造）を設計する場合は、ベース容器部２０のデザインはもちろんのこと、各部（表示部本体９０、ベース容器部２０、支柱４０等）のサイズ・重量及び重心位置から、液晶テレビ１のセットとしての重心位置を計算し、転倒角が例えばＵＬ規格１５°以上を満足するような構造とする必要がある。ここでは簡易的にベース容器部２０のサイズを算出するため、液晶テレビ１の重心位置が中心であり、ベース容器部２０の形は図３で示した形状であると仮定する。
【００２４】
例えば、ポリタンクの外形寸法を図６に示す６０インチの機種のデータを用いて算出した場合、横５３６ｍｍ、奥行３５５ｍｍ、高さ４０ｍｍとすれば、ベース容器部２０の充填出可能量は約７．６リットル（≒７．６ｋｇ）となる。仮に支柱４０を嵌め込むスペース（充填できない空間）の寸法を横１３０ｍｍ、奥行４０ｍｍ、高さ４０ｍｍとすれば、その容量は約０．２１リットル（≒０．２ｋｇ）となる。従って充填可能量は、約７．４リットル（≒７．４ｋｇ）になる。
【００２５】
また、２０インチの機種での外形寸法は例えば、横２５０ｍｍ、奥行１５１ｍｍ、高さ４０ｍｍとすれば、容量は１．５１リットル（≒１．５ｋｇ）である。支柱４０を嵌め込むスペース分の容量約０．２１リットル（≒０．２ｋｇ）を差し引きして、１．３リットル（≒１．３ｋｇ）が充填可能な容量となる。
【００２６】
このように、ベース容器部２０を設けることで、小さな機種から大きな機種まで複数のサイズに亘って対応することができる。
【００２７】
つづいて、ベースプレート１２とベース容器部２０との固定方法について説明する。この固定方法として、様々な手法が考えられるが、例えば図４に示すように、ベースプレート１２の外縁部分に係止爪部６０を立てるようにして設け、ベース容器部２０にその係止爪部６０を受ける為の形状（穴等）を設け、それらを嵌めあわせることで固定を行う。また、図７に示すように、ベースプレート１２に一部持ち上げた部分に穴をあけた係止用凸形状１３を設け、ベース容器部２０の底面にその係止用凸形状１３と嵌る凹形状を設けた構造を採用してもよい。また、ベース容器部２０を構成する第１〜第４のベース容器部２１〜２４同士の固定には上述のビス固定の他に、図８に示すように、一方（ここでは第１のベース容器部２１）に固定用突起３２を設け、他方（ここでは第２のベース容器部２２）に突起挿入部３４を設け、それらを嵌めあわせることで固定する構造が採用されてもよい。なお、上記固定方法は、製品出荷時に適用される場合とともに、ユーザによるスタンド１０の使用態様の変更時、例えば、壁掛け態様と据え置き態様との変更の際にも適用することができる。つまり、上記固定方法を適用した構造とすることで、スタンド１０の収納時及び使用再開時の利便性が向上する。
【００２８】
また、図９に示すスタンド１０ａの構造では、ベースプレート１２に挟み込む形とし、ベースプレートの構造を備えた支柱４０ａとベース容器部２０ａとを機械的固定（ビス固定）する。支柱４０ａの上部は、表示部本体９０とビス固定される。
【００２９】
以上、本実施形態では、スタンド１０の軽量化が可能であり、輸送コストの低減及び作業性の向上が実現できる。また、ベース容器部２０は内部が空洞で軽量であることから、保管が容易である。また、ベース容器部２０を非常用水の備蓄及び運搬に用いることも可能である。ベース容器部２０の大きさ、つまり、第１〜第４のベース容器部２１〜２４の嵌め合わせ数を変更することで、小型から大型まで対応可能である。
【００３０】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３１】
１ａ  液晶テレビ
１０、１０ａ  スタンド
１２  ベースプレート
１３  係止用凸形状
２０、２０ａ  ベース容器部
２１  第１のベース容器部
２２  第２のベース容器部
２３  第３のベース容器部
２４  第４のベース容器部
３２  固定用突起
３４  突起挿入部
４０、４０ａ  支柱
５０  パネル固定アングル
６０  係止爪部
９０  表示部本体
【要約】
【課題】輸送時の軽量化及び複数の大きさに対応が容易な表示装置用のスタンドを実現する技術を提供する。
【解決手段】スタンド１０は、ベースプレートに取り付けられた支柱４０と、ベース容器部２０とを備える。ベース容器部２０は、表示部本体の大きさに応じて設定される。具体的には、ベース容器部２０は、第１〜第４のベース容器部２１〜２４を分離可能に備える。表示部本体が小さい場合には、第１のベース容器部２１のみ使用され、大きい場合には第１〜第４のベース容器部２１〜２４の全てが使用される。
【選択図】図３【図１】
0005183812.tif 000002
【図２】
0005183812.tif 000003
【図３】
0005183812.tif 000004
【図４】
0005183812.tif 000005
【図５】
0005183812.tif 000006
【図６】
0005183812.tif 000007
【図７】
0005183812.tif 000008
【図８】
0005183812.tif 000009
【図９】
0005183812.tif 000010